(57)【要約】【課題】患者の状態を測定する各種測定装置に通信機能を持たせて、ナースセンタとの間を、測定結果情報その他の患者情報等を送受信可能に接続すること。【解決手段】通信機能付測定装置１とナースセンタ２のパソコン２１との間で、無線信号により患者情報を送受信するシステムであって、通信機能付測定装置１を、患者の状態を測定して、測定結果情報を表示し、ナースセンタ２のパソコン２１へ送信し、ナースセンタ２のパソコン２１から測定結果情報の分析結果情報及びその他の患者情報を受信し、表示する機能を有するようにし、ナースセンタ２のパソコン２１を、測定結果情報を受信し、分析して、分析結果情報と共に患者ＤＢに取り込み、分析結果情報その他の患者情報を通信機能付測定装置１へ送信する機能を有するようにした。【選択図】        図１
2004174068.tif 000002
【特許請求の範囲】
【請求項１】
通信機能付測定装置とナースセンタのパソコンとの間で、無線信号により患者情報を送受信するシステムにおいて、
通信機能付測定装置は、患者の個人識別ＩＤを読み取り、患者の状態を測定して、測定日時と共に、表示し、取り込み、測定したこれらの測定結果情報をナースセンタのパソコンへ送信し、必要に応じてナースセンタのパソコンからの測定結果情報を踏まえて分析した分析結果情報を受信し、表示する機能を有し、
ナースセンタのパソコンは、通信機能付測定装置から受信した測定結果情報を、患者の個人識別ＩＤ毎に取り込み、測定結果情報を踏まえて分析した分析結果情報を患者データベースに取り込み、また必要に応じて分析結果情報を患者データベースから読み出して通信機能付測定装置へ送信する機能を有する、
ことを特徴とする患者情報送受信システム。
【請求項２】
通信機能付測定装置とナースセンタのパソコンとの間及びナースセンタのパソコンと病院センタのパソコンとの間で、無線信号により患者情報を送受信するシステムにおいて、
通信機能付測定装置は、患者の個人識別ＩＤを読み取り、患者の状態を測定して、測定日時と共に、表示し、取り込み、測定したこれらの測定結果情報をナースセンタのパソコンへ送信し、必要に応じてナースセンタのパソコンからの測定結果情報を踏まえて分析した分析結果情報及びその他の患者情報を受信し、表示する機能を有し、
ナースセンタのパソコンは、通信機能付測定装置から受信した測定結果情報を、患者の個人識別ＩＤ毎に取り込み、測定結果情報を踏まえて分析した分析結果情報を患者データベースに取り込み、また必要に応じて分析結果情報を患者データベースから読み出して通信機能付測定装置へ送信する機能、及び測定結果情報及び／又は分析結果情報を病院センタのパソコンへ送信する機能並びに病院センタのパソコンから患者情報を受信して患者データベースに取り込み、必要に応じてこの患者情報を患者データベースから読み出して通信機能付測定装置へ送信する機能を有し、
病院センタのパソコンはナースセンタのパソコンから受信した測定結果情報及び／又は分析結果情報を取り込み、患者カルテデータベースに登録する機能、及び患者カルテデータベースに登録されている患者情報を読み出してナースセンタのパソコンへ送信する機能を有する、
ことを特徴とする患者情報送受信システム。
【請求項３】
請求項１又は請求項２に記載の患者情報送受信システムにおいて、
通信機能付測定装置は、ナースセンタのパソコンから以前の測定結果情報を受信する機能及び測定日時を含む今回の測定結果情報と以前の測定結果情報を、同時に表示する機能を有する、
ことを特徴とする患者情報送受信システム。
【発明の詳細な説明】
【０００１】
【発明の属する技術分野】
本発明は、患者情報送受信システムに関し、例えば患者の状態を測定する各種測定装置に通信機能を持たせ、ナースセンタのパソコンとの間で無線信号により患者情報の授受を行うようにした患者情報送受信システムに関する。
またさらに上記ナースセンタのパソコンと病院センタのパソコンとの間で無線信号により患者情報の授受を行うようにした患者情報送受信システムに関する。
【０００２】
【従来の技術】
患者の状態を測定する各種装置（体温計、血圧計、脈拍計、血液酸素濃度測定器、体重計、聴診器、心電計等）により身体状況を測定した場合には、測定者が所定の記録紙に測定結果を記録し、ナースセンタへ報告するようにし、またさらにナースセンタから病院センタへ報告するようにしているが、これには手間がかかり、また記入ミスもあり、正確に且つ短時間で伝達できないのが実情である。
【０００３】
【発明が解決しようとする課題】
本発明はこの点に鑑み、患者の状態を測定する各種測定装置に通信機能を持たせてナースセンタと患者情報を送受信可能に接続し、またさらにナースセンタと病院センタとを患者情報を送受信可能に接続した患者情報送受信システムを提供することを目的とする。
【０００４】
【課題を解決するための手段】
上記目的を達成するために、本発明の患者情報送受信システムは、通信機能付測定装置１とナースセンタ２のパソコン２１との間で、無線信号により患者情報を送受信するシステムにおいて、通信機能付測定装置１を、患者の個人識別ＩＤを読み取り、患者の状態を測定して、測定日時と共に、表示し、取り込み、測定したこれらの測定結果情報をナースセンタ２のパソコン２１へ送信し、必要に応じてナースセンタ２のパソコン２１からの測定結果情報を踏まえて分析した分析結果情報を受信し、表示する機能を有し、ナースセンタ２のパソコン２１を、通信機能付測定装置から受信した測定結果情報を、患者の個人識別ＩＤ毎に取り込み、測定結果情報を踏まえて分析した分析結果情報を患者データベース２２に取り込み、また必要に応じて分析結果情報を患者データベース２２から読み出して通信機能付測定装置１へ送信する機能を有するようにした。
【０００５】
また通信機能付測定装置１とナースセンタ２のパソコン２１との間及びナースセンタ２のパソコン２１と病院センタ３のパソコン３１との間で、無線信号により患者情報を送受信するシステムにおいて、通信機能付測定装置１を、患者の個人識別ＩＤを読み取り、患者の状態を測定して、測定日時と共に、表示し、取り込み、測定したこれらの測定結果情報をナースセンタ２のパソコン２１へ送信し、必要に応じてナースセンタ２のパソコン２１からの測定結果情報を踏まえて分析した分析結果情報及びその他の患者情報を受信し、表示する機能を有し、ナースセンタ２のパソコン２１を、通信機能付測定装置１から受信した測定結果情報を、患者の個人識別ＩＤ毎に取り込み、測定結果情報を踏まえて分析した分析結果情報を患者データベース２２に取り込み、また必要に応じて分析結果情報を患者データベース２２から読み出して通信機能付測定装置１へ送信する機能、及び測定結果情報及び／又は分析結果情報を病院センタ３のパソコン３１へ送信する機能並びに病院センタ３のパソコン３１から患者情報を受信して患者データベース２２に取り込み、必要に応じてこの患者情報を患者データベース２２から読み出して通信機能付測定装置１へ送信する機能を有し、病院センタ３のパソコン３１をナースセンタ２のパソコン２１から受信した測定結果情報及び／又は分析結果情報を取り込み、患者カルテデータベース３２に登録する機能、及び患者カルテデータベース３２に登録されている患者情報を読み出してナースセンタ２のパソコン２１へ送信する機能を有するようにした。
【０００６】
さらに上記各システムにおいて、通信機能付測定装置１を、ナースセンタ２のパソコン２１から以前の測定結果情報を受信する機能及び測定日時を含む今回の測定結果情報と以前の測定結果情報を、同時に表示する機能を有するようにした。
【０００７】
【発明の実施の形態】
本発明の実施の形態を実施例にもとづき図面を参照して説明する。
図１は通信機能付測定装置１と、パソコン（ＰＣ）２１、患者データベース（ＤＢ）２２を備えたナースセンタ２と、ＰＣ３１、患者のカルテＤＢ３２を備えた病院センタ３とから成る本発明の患者情報送受信システムの構成図である。なお各患者のカルテは医師により作成され、患者カルテＤＢ３２に登録される（図３の患者カルテ登録フロー図参照）。
患者カルテには、患者氏名、患者の個人識別ＩＤ、生年月日、性別、血液型、住所、電話番号、健康保険証番号、病名、症状、主治医氏名、診察履歴欄等が入力される。
【０００８】
患者情報送受信システムは次のように機能する（図４の患者情報送受信システムのフロー図参照）。
即ち、通信機能付測定装置１は、患者の個人識別ＩＤを読み取り、患者の身体状況（例えば、体温、血圧等）を測定して、測定結果を表示し、取り込む（記録する）と共に測定結果をナースセンタ２のＰＣ２１へ送信し、またナースセンタ２のパソコン２１から必要に応じて患者の情報を受信して表示する。
【０００９】
ナースセンタ２のＰＣ２１は、通信機能付測定装置１から受信した測定結果情報及びこの測定結果情報を分析した分析結果情報を、患者の個人識別ＩＤ毎に患者ＤＢ２２に取り込むと共に病院センタ３のＰＣ３１へ送信し、また病院センタ３のＰＣ３１から患者情報を受信し取り込む。また通信機能付測定装置１からの求めに応じて上記分析結果情報及び病院センタ３のＰＣ３１から受信した患者情報を送信する。
病院センタ３のＰＣ３１は、ナースセンタ２のパソコン２１から受信した全患者の情報を患者カルテＤＢ３２に登録して（取り込んで）一括管理し、またナースセンタ２のパソコン２１からの求めに応じて患者情報を患者カルテＤＢ３２から読み出して送信する。
【００１０】
図２は通信機能付測定装置１の構成を示すブロック図である。
この通信機能付測定装置１は、全体を制御する全体制御部１０１、ナースセンタ２のパソコン２１との間で患者情報等を送受信する通信機能部１０２、測定情報等を表示する表示部１０３、各種の測定、読み取り、取り込み（記録）、送信、受信等を指示するための操作部１０４、患者（被測定者）の状態を測定する測定部１０５、測定者のＩＤ及び患者の個人識別ＩＤを読み取るＩＤ読取部１０６、測定装置ＩＤ部１０７、記録部１０８、装置校正履歴部１０９、測定日時を示すタイマ部１１０及び電源部１１１から成る。
【００１１】
通信機能付測定装置としては、患者の状態を測定する体温計、血圧測定器、脈拍測定器、血液酸素濃度測定器、体重測定器、聴診器、心電計等のそれぞれに通信機能を具備させた、通信機能付体温計、通信機能付血圧測定器、通信機能付脈拍測定器、通信機能付血液酸素濃度測定器、通信機能付体重測定器、通信機能付聴診器、通信機能付心電計等がある。
なお通信に使う周波数は、医療機器への電波障害を考慮して選定する必要があり、通信手段として例えば簡易型携帯電話機（ＰＨＳ）の機能を利用する。
【００１２】
ここで通信機能付聴診器による測定の一例として患者の心音を測定する場合について説明する（図５の通信機能付聴診器による処理フロー図参照）。
以下の各場合において測定者は操作部１０４をその都度操作して指示し、先ずＩＤ読取部１０６により測定者ＩＤを読み取り、患者の個人識別ＩＤを例えばリストバンドのバーコードから読み取り、次いで測定部（聴診部）１０５により患者の心音を測定して、患者の個人識別ＩＤとタイマ部１１０の現在時刻を付加して心音情報として表示部１０３に表示し、記録部１０８に記録し、この心音情報を記録部１０８から読み出して通信機能部１０２を介してナースセンタ２のＰＣ２１へ送信する。
【００１３】
そして必要に応じて、ナースセンタ２のＰＣ２１において上記送信されてきた心音情報を踏まえて分析した分析結果情報、及びこれまでに測定した心音情報を含む患者情報を、ナースセンタ２のＰＣ２１から受信して、表示部に表示する。
これにより例えば、今回測定した心音情報とこれまでに測定した心音情報を表示部１０３に表示して比較することができる。また今回の測定結果情報の分析結果情報、さらにその他の患者情報を知ることができる。
【００１４】
なお通信機能付測定装置を定期的に校正する必要があるが、その実施結果は表示され、また取り込まれて記録部１０８（装置校正履歴１０９）に蓄積される。
【００１５】
図３は患者カルテ登録のための処理のフロー図である。
ステップＳ３０で処理がスタートし、ステップＳ３１で医師が患者のカルテを作成し、病院センタ３の患者カルテＤＢ３２に登録し、ステップＳ３２で処理を終了する。
【００１６】
図４は本発明の患者情報送受信システムにおける患者情報の処理及び情報の動きを示すフロー図である。
ステップＳ４０でスタートし、ステップＳ４１でナースセンタのＰＣ２１を病院センタＰＣ３１に接続（アクセス）し、患者カルテＤＢ３２より患者情報を取り込み、患者ＤＢ２２に保存する。ステップＳ４２で測定者は通信機能付聴診器をナースセンタのＰＣ２１に接続し、患者ＤＢ２２より患者情報を取り込む。またステップＳ４３で患者の定時状態（例えば体温等）を測定し、患者の定時測定情報（検温情報等）を通信機能付聴診器に取り込む。
【００１７】
ステップＳ４４で通信機能付聴診器をナースセンタＰＣ２１に接続し、患者の定時測定情報を送信する。ステップＳ４５でナースセンタＰＣ２１を病院センタＰＣ３１に接続し、患者の定時測定情報を送信する。ステップＳ４６で病院センタＰＣ３１は患者の定時測定情報を患者カルテＤＢ３２に登録し、ステップＳ４７で終了する。
なお測定者は必要に応じて、ナースセンタのＰＣ２１により分析された患者の定時測定情報の分析結果情報を通信機能付聴診器で受信し、表示部に表示することができる。
【００１８】
図５は通信機能付聴診器により心音を測定する場合の処理のフロー図である。ステップＳ５０で処理がスタートし、ステップＳ５１で操作部１０４により測定者と患者の各ＩＤの読み取りが指示され、ステップＳ５２でまず測定者のＩＤを読み取り、次いでステップＳ５３で患者の個人識別ＩＤを読み取る。ステップＳ５４で操作部１０４により心音測定が指示され、ステップＳ５５で聴診部により心音を測定する。ステップＳ５６で操作部１０４により測定した心音の情報の表示が指示され、ステップＳ５７で表示部に心音情報が測定日時と共に表示される。
【００１９】
ステップＳ５８で次の表示があるかの判断をし、あればステップＳ５６に戻り、なければステップＳ５９で表示の終了か判断し、終了であればステップＳ６０で操作部１０４により心音情報の記録が指示され、ステップＳ６１で患者の個人識別ＩＤと測定日時と心音情報（以後、心音情報等と云う。）が記録部１０８に記録される。ステップＳ６２で記録の終了か判断し、終了でなければステップＳ５３へ戻る。
【００２０】
終了であればステップＳ６３で操作部１０４により記録部１０８よりの心音情報等の読み出しが指示され、ステップＳ６４で心音情報等が読み出される。ステップＳ６５で操作部１０４によりナースセンタ２への送信が指示され、ステップＳ６６で心音情報等が通信機能部１０２を介して送信される。
ステップＳ６７で次の送信があるかのを判断し、あればステップＳ６４へ戻り、なければステップＳ６８で終了か判断し、終了であればステップＳ６９で心音の測定が終了する。
【００２１】
【発明の効果】
以上のように本発明によれば、通信機能付測定装置により患者の身体状況を測定すると略同時に測定結果情報を表示、記録できると共に、この測定結果情報をナースセンタのＰＣへ送信することができ、さらにナースセンタのＰＣから病院センタのＰＣへ送信することができるので、従来のように記録ミスをすることもなく、ナースセンタ及び病院センタへ正確に且つ略即時に測定結果情報を伝達することができる。
また測定結果情報をナースセンタのＰＣで分析した分析結果情報及びナースセンタが病院センタから入手したその他の患者情報を、測定者がナースセンタから簡易に入手し、表示することができる。
【図面の簡単な説明】
【図１】患者情報送受信システムの構成図である。
【図２】通信機能付測定装置の構成を示すブロック図である。
【図３】患者カルテ登録のための処理のフロー図である。
【図４】患者情報送受信システムにおける患者情報の処理及び情報の動きを示すフロー図である。
【図５】通信機能付聴診器により心音を測定する場合の処理のフロー図である。
【符号の説明】
１  通信機能付測定装置
１０１  全体制御部
１０２  通信機能部
１０３  表示部
１０４  操作部
１０５  測定部
１０６  ＩＤ読取部
１０７  測定装置ＩＤ部
１０８  記録部
１０９  装置校正履歴部
１１０  タイマ部
１１１  電源部
２  ナースセンタ
２１  パソコン（ＰＣ）
２２  患者データベース（ＤＢ）
３  病院センタ
３１  パソコン（ＰＣ）
３２  患者カルテデータベース（ＤＢ）
【図１】
2004174068.tif 000003
【図２】
2004174068.tif 000004
【図３】
2004174068.tif 000005
【図４】
2004174068.tif 000006
【図５】
2004174068.tif 000007